(57)【特許請求の範囲】
【請求項１】
第１メモリーカードと第２メモリーカードとを接続可能であり、第１メモリーカードと電気的に接続可能とさせる第１コンタクトを備えるベースハウジングと、第２メモリーカードと電気的に接続可能とさせる第２コンタクトを備えるセカンドハウジングと、ベースハウジングと係止されるプレートとからなるメモリーカード用コネクタであって、
ベースハウジングは、板状体からなり、板状体の一端に第１コンタクトを固定され、板状体中間部にはセカンドハウジングを遊嵌可能な開口部を備え、
セカンドハウジングは、板状体からなり、第２コンタクトを固定され、ベースハウジングの開口部に板状平面を同じくして遊嵌され、少なくとも板状平面方向に移動自在に固定され、
プレートは、セカンドハウジングを遊嵌状態のベースハウジング上面に位置し、セカンドハウジングとの間に第２メモリーカードを外部から挿入されて収納可能な第２空間部を形成し、ベースハウジングの第１コンタクト側には第１メモリーカードを外部から挿入されて収容可能な第１空間部を形成することを特徴とするメモリーカード用コネクタ。
【請求項２】
第１メモリーカードと第２メモリーカードとを接続可能であり、第１メモリーカードと電気的に接続可能とさせる第１コンタクトを備えるベースハウジングと、第２メモリーカードと電気的に接続可能とさせる第２コンタクトを備えるセカンドハウジングと、ベースハウジングと係止されるプレートとからなるメモリーカード用コネクタであって、
ベースハウジングは、板状体からなり、板状体の一端に第１コンタクトを固定され、板状体中間部にはセカンドハウジングを遊嵌可能な開口部を備え、開口部を挟んだ開口部周囲部に、セカンドハウジングを遊嵌状態で係止接続する固定プレートを固定可能な第１固定プレート溝部を形成し、
セカンドハウジングは、板状体からなり、第２コンタクトを固定され、ベースハウジングの開口部に板状平面を同じくして遊嵌され、少なくとも板状平面方向に移動自在に固定され、開口部へ遊嵌された時にベースハウジングの第１固定プレート溝と連続するように固定プレートを固定可能な第２固定プレート溝部を形成し、
プレートは、セカンドハウジングを遊嵌状態のベースハウジング上面に位置し、セカンドハウジングとの間に第２メモリーカードを収納可能な第２空間部を形成し、ベースハウジングの第１コンタクト側には第１メモリーカードを収容可能な第１空間部を形成し、
第１固定プレート溝部および第２固定プレート溝部に嵌入されることでベースハウジングとセカンドハウジングとを遊嵌状態に係止させる固定プレートを設け、固定プレートは第１固定プレート溝と第２固定プレート溝との何れかまたは両者と遊嵌状態に係止されることを特徴とするメモリーカード用コネクタ。
【発明の詳細な説明】
【技術分野】
【０００１】
この発明は、パソコン等に使用するメモリーカード用コネクタに係り、詳細には、該メモリーカードを収納して電気的な接続が可能に形成し、パソコン等の接続対象機器と電気的に接続させるためメモリーカード用コネクタに関する。
【背景技術】
【０００２】
メモリーカードは、パソコンを初めとして携帯電話、ビデオカメラ、ＤＶＤレコーダ等の機器の記憶媒体として広く使用されている。
このメモリーカードは、様々な形態で存在するが、概ね表面の一旦に複数の接点を有した接続部を設けて形成されている。そしてメモリーカードは、前記種々な機器に設けたメモリーカード用コネクタに挿入して用いられている。
【０００３】
一方メモリーカードが接続される前記各機器では、小型化が進むにつれ、実装する各部品も小型化が計られている。
そして、メモリーカード用コネクタもその例外ではなく、小型化が求められている。この小型化については種々の特許出願等がなされ、多くのものが存在する。
例えば、図１０に表すような従来例１がある。
【０００４】
即ち、従来例１は、複数種のメモリーカードＭＣに対応させたメモリーカード用コネクタ１００であり、図１０中に表すように、第１メモリーカードＭＣ１を矢示Ａ方向から挿抜して使用可能とし、第２メモリーカードＭＣ２を矢示Ｂ方向から挿抜して使用可能とするものであった。そしてメモリーカード用コネクタ１００は、図１１に表すように、ベースハウジング１０１と、セカンドハウジング１０２と、プレート１０３とによって全体形状が形成され、ベースハウジング１０１の下面にセカンドハウジング１０２が固定され、ベースハウジング１０１およびセカンドハウジング１０２によって掲載された筐体上面を覆うようにプレート１０３がかぶせられ、プレート１０３の四隅に形成された固定足部１０３ａが、固定されたベースハウジング１０１およびセカンドハウジング１０２の最下面まで延設されてメモリーカード用コネクタ１００を実装する基板Ｂに固定される。
ベースハウジング１０１は、平面視長方形形状を成す板状体からなり、上面に覆ったプレート１０３との間に第１メモリーカードＭＣ１を挿抜可能な第１空間部１０１ａを形成するように縁部１０４を上面側に立設し、セカンドハウジング１０２と共にプレート１０３に固定され、基板Ｂに固定される。またベースハウジング１０１は、平面視長方形形状の短辺のうちの一方が切欠されて、メモリーカード用コネクタ１００の側面方向から第１メモリーカードＭＣ１を挿入可能な第１挿入孔１０５をプレート１０３との間に形成する。
【０００５】
セカンドハウジング１０２は、ベースハウジング１０１のプレート１０３とは反対側の面となる底面に固定される。セカンドハウジング１０２も、ベースハウジング１０１と同様に第２メモリーカードＭＣ２を収納可能な第２空間部１０２ａをベースハウジング１０１との間に形成するように縁部１０６を立設して設ける。そして、セカンドハウジング１０２にも、第２メモリーカードＭＣ２を挿抜可能な第２挿入孔１０７を形成する。
【０００６】
また、ベースハウジング１０１の第１空間部１０１ａ内には、挿入された第１メモリーカードＭＣ１の接点と接触可能に第１コンタクト１０８を設ける。第１コンタクト１０８の一端は、メモリーカード用コネクタ１００を実装する基板Ｂ側に延設されて位置され、基板Ｂと半田付け等によって電気的に導通状態をとるように固定される第１固定部１０８ａを形成する。
また第１コンタクト１０８の中間部１０８ｂは、第１メモリーカードＭＣ１の挿入奥部側で第１メモリーカードＭＣ１の接点と接触可能に第１接点部１０８ｃが位置されるように第１コンタクト１０８を配置した状態となるようにベースハウジング１０１に固定される。
セカンドハウジング１０２にも、第２メモリーカードＭＣ２と基板Ｂとを電気的に接続させる第２コンタクト１０９を設ける。第２コンタクト１０９も第１コンタクト１０８同様に一端がセカンドハウジング１０２の基板Ｂ側に突出されて第２固定部１０９ａを形成し、他端は第２挿入孔１０７から挿入されて第２空間部１０２ａに収納された第２メモリーカードＭＣ２の接点と接触可能に第２接点部１０９ｃを形成する。そして、中間部１０９ｂは、第２空間部１０２ａおよび第２接点部１０９ｃが前記通りに位置されるようセカンドハウジング１０２に固定して設ける。
【０００７】
上記のように形成するメモリーカード用コネクタ１００は、セカンドハウジング１０２に設けた縁部１０６の四隅をベースハウジング１０１側へ延設して固着部１１０を形成する。固着部１１０は、上部に位置するベースハウジング１０１と固着される。
従って、メモリーカード用コネクタ１００は、ベースハウジング１０１と一体的に固着されたセカンドハウジング１０２とが上部に設けたプレート１０３と固定され、プレート１０３の固定足部１０３ａによって基板Ｂ上の所定位置に固定される。そして、この固定足部１０３ａは基板上のアースとし電気的に導通状態に固定されてメモリーカード用コネクタ１００全体を覆ったプレート１０３のアースとなる。そして、第１コンタクト１０８および第２コンタクト１０９がそれぞれ固定部１０８ａおよび固定部１０９ａによって基板Ｂと電気的に導通状態となるように固定されることとなる。
【発明の開示】
【発明が解決しようとする課題】
【０００８】
上記のように形成した従来例のメモリーカード用コネクタ１００では、セカンドハウジング１０２はベースハウジング１０１の下部に上下の関係となるように配置されており、ベースハウジング１０１とセカンドハウジング１０２とが遊びなく固着されている。そのため、ベースハウジング１０１が内部応力や基板Ｂ実装使用時の発熱などにより反りが生じると、セカンドハウジング１０２のコプラナリティに大きな影響を与えてしまうという問題点を有した。
そして、このコプラナリティに与える影響によってセカンドハウジング１０２に設けた第２コンタクト１０９の基板Ｂへの半田付け性が悪くなるという問題点を有した。
そしてこれらは、安定した基板Ｂへの実装ができないという問題点となった。
【０００９】
そこでこの発明は、上記問題点に鑑み、複数種のコンタクトを有して複数種のメモリーカードを利用可能なメモリーカード用コネクタの半田付け性能の改善をはかり、基板実装後にも確実に複数種のメモリーカードを利用可能とし製品不良等の事故を防ぐことを課題とする。
【課題を解決するための手段】
【００１０】
そこで発明者は課題を解決するために、ベースハウジングとセカンドハウジングとの位置および係止状態を試行錯誤した結果、
【００１１】
第１メモリーカードと第２メモリーカードとを接続可能であり、第１メモリーカードと電気的に接続可能とさせる第１コンタクトを備えるベースハウジングと、第２メモリーカードと電気的に接続可能とさせる第２コンタクトを備えるセカンドハウジングと、ベースハウジングと係止されるプレートとからなるメモリーカード用コネクタであって、
ベースハウジングは、板状体からなり、板状体の一端に第１コンタクトを固定され、板状体中間部にはセカンドハウジングを遊嵌可能な開口部を備え、
セカンドハウジングは、板状体からなり、第２コンタクトを固定され、ベースハウジングの開口部に板状平面を同じくして遊嵌され、少なくとも板状平面方向に移動自在に固定され、
プレートは、セカンドハウジングを遊嵌状態のベースハウジング上面に位置し、セカンドハウジングとの間に第２メモリーカードを外部から挿入されて収納可能な第２空間部を形成し、ベースハウジングの第１コンタクト側には第１メモリーカードを外部から挿入されて収容可能な第１空間部を形成することを特徴とするメモリーカード用コネクタ、
【００１２】
および、
【００１３】
第１メモリーカードと第２メモリーカードとを接続可能であり、第１メモリーカードと電気的に接続可能とさせる第１コンタクトを備えるベースハウジングと、第２メモリーカードと電気的に接続可能とさせる第２コンタクトを備えるセカンドハウジングと、ベースハウジングと係止されるプレートとからなるメモリーカード用コネクタであって、
ベースハウジングは、板状体からなり、板状体の一端に第１コンタクトを固定され、板状体中間部にはセカンドハウジングを遊嵌可能な開口部を備え、開口部を挟んだ開口部周囲部に、セカンドハウジングを遊嵌状態で係止接続する固定プレートを固定可能な第１固定プレート溝部を形成し、
セカンドハウジングは、板状体からなり、第２コンタクトを固定され、ベースハウジングの開口部に板状平面を同じくして遊嵌され、少なくとも板状平面方向に移動自在に固定され、開口部へ遊嵌された時にベースハウジングの第１固定プレート溝と連続するように固定プレートを固定可能な第２固定プレート溝部を形成し、
プレートは、セカンドハウジングを遊嵌状態のベースハウジング上面に位置し、セカンドハウジングとの間に第２メモリーカードを収納可能な第２空間部を形成し、ベースハウジングの第１コンタクト側には第１メモリーカードを収容可能な第１空間部を形成し、
第１固定プレート溝部および第２固定プレート溝部に嵌入されることでベースハウジングとセカンドハウジングとを遊嵌状態に係止させる固定プレートを設け、固定プレートは第１固定プレート溝と第２固定プレート溝との何れかまたは両者と遊嵌状態に係止されることを特徴とするメモリーカード用コネクタ、
【００１４】
を提供する。上記のように形成されるメモリーカード用コネクタでは、実装体がプリント配線基板であれば、プリント配線基板上にプレートによって固定実装されると共に、第１コンタクトおよび第２コンタクトがそれぞれ一端をプリント配線基板上に半田付け等により固定される。
そしてプリント配線板上に実装されたメモリーカード用コネクタでは、第１メモリーカードをベースハウジングの第１コンタクト側へ外部から第１空間部内に収容する。すると、第１コンタクトと第１メモリーカードに設けられている接点とが接触して電気的な接続を得る。同様に、第２メモリーカードをセカンドハウジングとの間に設ける第２空間部内へ外部から挿入して収納する。
このように、メモリーカード用コネクタには複数の、あるいは、複数種のメモリーカードが挿入可能に形成される。
メモリーカード用コネクタでは、セカンドハウジングはベースハウジングに穿設した開口部内に位置されている。そして、開口内部で予め決められたクリアランスを持って遊嵌状態をとっており、セカンドハウジングはこのクリアランス内ではベースハウジングの動きに対し独立した状態をとることとなる。
【００１５】
メモリーカード用コネクタが、製造時に発生したベースハウジングの内部応力や使用時の熱変化等により、反りや捻れなどの変形を起こす場合がある。この時、ベースハウジングの四方端はプレートに寄ってプリント配線基板上に半田付け等により固定されていおり、且つ、ベースハウジングに付随している第１コンタクトはベースハウジングの端部側に位置されているので、反り等の変形に対して大きく位置を変えることが少なく、半田剥がれ等の欠陥を生じにくい。
また、セカンドハウジングは、前記のようにクリアランスを持ってベースハウジングとは自在に移動可能に遊嵌されているので、ベースハウジングが前記反り等により位置を変化させても、クリアランスの範囲でセカンドハウジングに付随している第２コンタクトもプリント配線基板上に固定された半田が半田剥がれ等の欠損を起こさないでいる。
【００１６】
また、固定プレートを用いたメモリーカード用コネクタでは、ベースハウジングとセカンドハウジングとにそれぞれ第１固定プレート溝と第２固定プレート溝とを設けて両固定プレート溝に固定プレートを嵌め込んでセカンドハウジングをベースハウジングへ遊嵌状態に固定している。
この時、固定プレートは、第１固定プレート溝と第２固定プレート溝とに遊嵌状態で係止されているか、第１固定プレート溝あるいは第２固定プレート溝の何れか一方と固着固定され他方と遊嵌固定されるので、セカンドハウジングが遊嵌状態でベースハウジングに固定されることとなる。
【発明の効果】
【００１７】
従って、この発明によれば、ベースハウジングとセカンドハウジングとが一体的に固着されている構造ではないので、ベースハウジングが内部応力や基板Ｂ実装使用時の発熱などにより反りが生じる等しても、セカンドハウジングのコプラナリティに大きな影響を与えず、半田が剥がれてしまうというような欠陥となってしまう問題点を避けることが出来るという効果を有する。
そして、セカンドハウジングのコプラナリティに影響を与えないので、セカンドハウジングに設けた第２コンタクトの基板Ｂへの半田付け性が悪くなるというような問題も発生しないという効果を有し、基板Ｂへの実装が安定的であるという特有の効果を有する。
基板実装後にも確実に複数種のメモリーカードを利用可能とし製品不良等の事故を防止出来るという効果を奏する。
【発明を実施するための最良の形態】
【００１８】
メモリーカード用コネクタ１は、複数種のメモリーカードＭＣ１、ＭＣ２を、プリント配線板Ｂと電気的に接続可能である。
メモリーカード用コネクタ１は、板状体であるベースハウジング２と、ベースハウジング２に遊嵌固定されるセカンドハウジング３と、ベースハウジング２およびセカンドハウジング３を実装体であるプリント配線基板上に実装させるプレート４とからなる。
【００１９】
ベースハウジング２は、平面視長方形形状を成し、プリント配線基板と反対側の面に、第２メモリーカードＭＣ２を挿入可能な第２空間部６を設けてプレート４を被覆される。また、ベースハウジング２には長手方向の一端に第１コンタクト７を挿入固定可能な第１コンタクト固定部２２を複数並設させる。更にベースハウジング２には、中央より稍第１コンタクト固定部２２の対向側には開口部２３を貫通するよう、セカンドハウジング３より僅かに大きな形状に穿設する。従って、開口部２３は、セカンドハウジング３が挿入された際に上面２１の面方向にセカンドハウジング３が移動可能な大きさである。
またベースハウジング２のプリント配線基板Ｂ上面２１と対向する裏面２４には、固定プレート９が挿入されて固定される第１固定プレート溝部２５を穿設する。
【００２０】
セカンドハウジング３は、平面視開口部２３よりクリアランスＹ分だけ小さな略同形状を成し、開口部２３に挿入可能である。そして、セカンドハウジング３は開口部２３に挿入時に、第２コンタクト８を挿入固定可能な第２コンタクト固定部３２が並設される。第２コンタクト固定部３２は、Ｕ字状に形成される第２コンタクト８のＵ字凹部に挿入可能な段差部３３を第２コンタクト固定部３２に設けて第２コンタクト８が固定される。また、セカンドハウジング３の裏面３３には、ベースハウジング２の第１固定プレート溝部２５と連続するように第２固定プレート溝部３４が穿設される。そして、第２固定プレート溝部３４は固定プレート９が遊嵌状態に嵌め込まれた状態で固定される。
従って、第１固定プレート溝部２５と第２固定プレート溝部３４とは連続するように設けられ、固定プレート９を第１固定プレート溝部２５および第２固定プレート溝部３４へベースハウジング２およびセカンドハウジング３に渡って嵌め込み固定する。この時、第２固定プレート溝部３４と固定プレート９とはクリアランスＹをもって遊嵌状態に嵌合されてるので、セカンドハウジング３はベースハウジング２と一体的に固定されていない状態である。
【００２１】
プレート４は、金属製の板状体からなり、ベースハウジング２の上面２１との間に、セカンドハウジング３に設ける第２コンタクト８と接続固定させる第２メモリーカードＭＣ２が挿通可能な第２空間部６となる間隙を設けた状態でベースハウジング２の第１コンタクト固定部２２以外の部分でベースハウジング２上面を略覆うように設置される基部プレート４１と、第１コンタクト固定部２２の上面を、第１メモリーカードＭＣ１が基部プレート４１の上面４３から更に挿通可能な第１空間部５となる間隙を設けて設置する上面プレート４２とからなる。
プレート４は、ベースハウジング２との固定および実装体であるプリント配線板Ｂへの実装を可能とするように、プレート４の四隅からプリント配線基板Ｂに至るまで脚部４４を立設し、先端をプリント配線基板Ｂの上面と並行になるように折曲して設けてある。この脚部４４は、折曲させた先端部である固定端４４ａをプリント配線基板Ｂの実装面に半田付け等によって実装固定される。また、プレート４とベースハウジング２との係止は、プレート４およびベースハウジング２に、凸状および凹状からなる係止部を相互に形成し嵌合させて固定させる。
【００２２】
第１空間部５は、プレート４の上面で第１コンタクト固定部２２側に設けた空間によって形成される。また、第２空間部６は、プレート４とベースハウジング２との間で第２コンタクト固定部３２の上方に設けた間隙によって形成される。
【００２３】
第１コンタクト７はベースハウジング２の第１コンタクト固定部２２へ取付け固定されて第１メモリーカードＭＣ１とプリント配線基板Ｂとを電気的に導通状態に接続させる。第１コンタクト７は、一端がベースハウジング２の裏面２４側外部に位置されてプリント配線基板Ｂと半田付け等により固定される第１固定部７１を形成する。また、第１コンタクト７の中間部７２は第１コンタクト固定部２２に嵌め込み固定可能に折曲されて形成し、更に第１固定部７１とは反対の他端は第１メモリーカードＭＣ１と接触圧をもって接触可能に更に折曲されて第１接点部７３を形成する。
上記のように形成する第１コンタクト７は、複数並設された第１コンタクト固定部２２それぞれに係止される。第１コンタクト固定部２２および第１コンタクト７は、従来同様に形成されれば足り、この発明では第１メモリーカードＭＣ１を第１空間部５内に挿入固定した際に第１メモリーカードＭＣ１に設けられる接点を接触可能で有って且つプリント配線基板Ｂの実装面に固定可能であれば良い。
【００２４】
第２コンタクト８はセカンドハウジング３の第２コンタクト固定部３２へ取付け固定されて第２メモリーカードＭＣ２とプリント配線基板Ｂとを電気的に導通状態に接続させる。第２コンタクト８は、一端がセカンドハウジング３の裏面３３側外部に位置されてプリント配線基板Ｂと半田付け等により固定される第２固定部８１を形成する。また、第２コンタクト８の第２中間部８２は第２コンタクト固定部３２に嵌め込み固定可能に折曲されて形成し、更に第２固定部８１とは反対の他端は第２メモリーカードＭＣ２と接触圧をもって接触可能にばね力を持って更に折曲され第２接触部８３を形成する。
【００２５】
固定プレート９は、薄板状の棒状からなる金属板を折曲して形成される。固定プレート９は、ばね力を持ち且つ機械的強度が薄板上でも充分あることから薄板状の金属板から形成する。
固定プレート９は、両端をベースハウジング２に設ける第１固定プレート溝部２５に挿入固定可能な形状に折曲してベース固定部９１を係止し、中間部はベースハウジング２の開口部２３に挿入した状態でセカンドハウジング３の裏面３３に穿設する第２固定プレート溝部３４に挿入行程可能な形状に設けるセカンド固定部９２を形成する。また、固定プレート９のベース固定部９１およびセカンド固定部９２には、ベースハウジング２およびセカンドハウジング３と係止可能な爪部９３を設け、ベースハウジング２およびセカンドハウジング３に爪部９３と対応するように設ける係止凹部に爪部９３が係止することでそれぞれと係止固定可能である。従って固定プレート９は、ベースハウジング２の開口部２３に挿入されたセカンドハウジング３を開口部２３内に位置させてベースハウジング２とセカンドハウジング３とを連結固定させる。
【００２６】
セカンドハウジング３は、ベースハウジング２との間にクリアランスＹを設けて設置固定されている。従って、セカンドハウジング３は、ベースハウジング２の上面２４の面方向に移動可能な状態となっている。
【実施例１】
【００２７】
以下にこの発明の実施例を図面に基づき説明する。
図１はこの発明の実施例の使用状態を表す斜視説明図であり、図２はこの発明の実施例を表す斜視説明図であり、図３はこの発明の部品を表す斜視説明図であり、図４はこの発明の部品を表す斜視説明図であり、図５はこの発明の実施例を表す裏面説明図であり、図６は図１のＸ−Ｘ線断面であり遊嵌状態を表す一部断面斜視説明図であり、図７は部品を表す斜視説明図であって（ａ）は第１コンタクトを表す斜視説明図、（ｂ）は第２コンタクト８を表す斜視説明図、（ｃ）は固定プレートを表す斜視説明図であり、図８はこの発明の部品を表す説明図であり（ａ）はベース固定部を表す斜視説明図、（ｂ）はセカンド固定部を表す斜視説明図であり、図９は図６の一部拡大断面説明図である。  
【００２８】
メモリーカード用コネクタ１は、図１および図２に表すように、複数種のメモリーカードＭＣ１、ＭＣ２を、プリント配線板Ｂと電気的に接続可能である。
メモリーカード用コネクタ１は、絶縁体である高分子樹脂から形成する板状体であるベースハウジング２と、ベースハウジング２に遊嵌固定されるセカンドハウジング３と、ベースハウジング２およびセカンドハウジング３を実装体であるプリント配線基板上に実装させるプレート４とからなる。
【００２９】
ベースハウジング２は、図１乃至図３に表すように平面視長方形形状を成し、プリント配線基板と反対側の面である上面２１に、第２メモリーカードＭＣ２を挿入可能な第２空間部６を設けてプレート４を被覆され、長手方向の一端には第１コンタクト７を挿入固定可能な第１コンタクト固定部２２を複数並設されてなる。更にベースハウジング２には、中央より稍第１コンタクト固定部２２の対向側に上面２１から下面にかけて貫通する開口部２３を穿設する。開口部２３はセカンドハウジング３より僅かに大きな形状であり、即ち、セカンドハウジング３が挿入された際に上面２１の面方向に移動可能な大きさで穿設する。
またベースハウジング２のプリント配線基板Ｂ上面２１と対向する裏面２４には、図５に表すように、固定プレート９が挿入されて固定される第１固定プレート溝部２５を穿設する。第１固定プレート溝部２５は、開口部２３に遊嵌設置されたセカンドハウジング３の裏面に設ける第２固定プレート溝部３４と連続するように設け、固定プレート９をベースハウジング２およびセカンドハウジング３に渡って嵌め込むことで、セカンドハウジング３がベースハウジング２の開口部２３から離脱するのを防止している。
【００３０】
セカンドハウジング３は、図２および図４に表すように、平面視開口部２３と略同形状を成し、開口部２３に挿入可能であり、開口部２３に挿入時に、上面３１がベースハウジング２の上面２１と略同レベルとなる形状を成し、第２コンタクト８を挿入固定可能な第２コンタクト固定部３２が並設される。第２コンタクト固定部３２は、Ｕ字状に形成される第２コンタクト８のＵ字凹部に挿入可能な段差部３３を第２コンタクト固定部３２に設けて第２コンタクト８が固定される。また、セカンドハウジング３の裏面３３には、図５に表すように、ベースハウジング２の開口部２３に遊嵌設置された状態で、ベースハウジング２の第２固定プレート溝部３４と連続するように第２固定プレート溝部３４が穿設される。第２固定プレート溝部３４は固定プレート９が遊嵌状態に嵌め込まれた状態で固定される。
【００３１】
プレート４は、金属製の板状体からなり、図８に表すように、ベースハウジング２の上面２１との間に、セカンドハウジング３に設ける第２コンタクト８と接続固定させる第２メモリーカードＭＣ２が挿通可能な第２空間部６となる間隙を設けた状態でベースハウジング２の第１コンタクト固定部２２以外の部分でベースハウジング２上面を略覆うように設置される基部プレート４１と、第１コンタクト固定部２２の上面を、第１メモリーカードＭＣ１が基部プレート４１の上面４３から更に挿通可能な第１空間部５となる間隙を設けて設置する上面プレート４２とからなる。
プレート４の上面プレート４２と基部プレート４１とは相互に嵌合固定可能に係止部（図示せず）を設け、相互に係止固定して一体的に設ける。尚、基部プレート４１と上面プレート４２とは、この発明では別体として形成し相互に係止固定して一体的にしたが、金属プレートを折曲や型抜きなどのプレス加工を施して基部プレート４１と上面プレート４２とを一体に成形して形成しても良い。
基部プレート４１と上面プレート４２とが一体的に形成されたプレート４は、ベースハウジング２との固定および実装体であるプリント配線板Ｂへの実装を可能とするように、基部プレート４１の四隅からプリント配線基板Ｂに至るまで脚部４４を立設し、先端をプリント配線基板Ｂの上面と並行になるように折曲して設けてある。この脚部４４は、折曲させた先端部である固定端４４ａをプリント配線基板Ｂの実装面に半田付け等によって実装固定される。また、プレート４とベースハウジング２との係止は、プレート４およびベースハウジング２に、凸状および凹状からなる係止部を相互に形成し嵌合させて固定させる。尚、ベースハウジング２とプレート４とを係止させる係止部は、従来行われてきた嵌め込み用の突起部および凹部とによる嵌め込みなので図示を省略すると共に詳説も省略する。勿論ベースハウジング２およびプレート４間に所定間隔を有するようスペーサ等を階してネジ止めなどを施して固定してもよい。
【００３２】
第１空間部５は、プレート４の基部プレート４１と上面プレート４２との間に形成された間隙によって形成される。
また、第２空間部６は、ベースハウジング２の上面とプレート４との間に形成された間隙によって形成される。
【００３３】
第１コンタクト７はベースハウジング２の第１コンタクト固定部２２へ取付け固定されて第１メモリーカードＭＣ１とプリント配線基板Ｂとを電気的に導通状態に接続させる。第１コンタクト７は、図７（ａ）に表すように、一端がベースハウジング２の裏面２４側外部に位置されてプリント配線基板Ｂと半田付け等により固定される第１固定部７１を形成する。また、第１コンタクト７の中間部７２は第１コンタクト固定部２２に嵌め込み固定可能に折曲されて形成し、更に第１固定部７１とは反対の他端は第１メモリーカードＭＣ１と接触圧をもって接触可能に更に折曲されて第１接点部７３を形成する。
上記のように形成する第１コンタクト７は、複数並設された第１コンタクト固定部２２それぞれに係止される。第１コンタクト固定部２２および第１コンタクト７は、従来同様に形成されれば足り、この発明では第１メモリーカードＭＣ１を第１空間部５内に挿入固定した際に第１メモリーカードＭＣ１に設けられる接点を接触可能で有って且つプリント配線基板Ｂの実装面に固定可能であれば良い。
【００３４】
第２コンタクト８はセカンドハウジング３の第２コンタクト固定部３２へ取付け固定されて第２メモリーカードＭＣ２とプリント配線基板Ｂとを電気的に導通状態に接続させる。第２コンタクト８は、図７（ｂ）に表すように、一端がセカンドハウジング３の裏面３３側外部に位置されてプリント配線基板Ｂと半田付け等により固定される第２固定部８１を形成する。また、第２コンタクト８の第２中間部８２は第２コンタクト固定部３２に嵌め込み固定可能に折曲されて形成し、更に第２固定部８１とは反対の他端は第２メモリーカードＭＣ２と接触圧をもって接触可能にばね力を持って更に折曲され第２接触部８３を形成する。
上記のように形成する第２コンタクト８は、複数並設された第２コンタクト固定部３２それぞれに係止される。第２コンタクト固定部３２および第２コンタクト８は、従来同様に形成されれば足り、この発明では第２メモリーカードＭＣ２を第２空間部６内に挿入固定した際に第２メモリーカードＭＣ２に設けられる接点を接触可能で有って且つプリント配線基板Ｂの実装面に固定可能であれば良い。
【００３５】
固定プレート９は、図７（ｃ）に表すように、薄板状の棒状からなる金属板を折曲して形成される。固定プレート９は、ばね力を持ち且つ機械的強度が薄板上でも充分あることから薄板状の金属板から形成する。
固定プレート９は、両端をベースハウジング２に設ける第１固定プレート溝部２５に挿入固定可能な形状に折曲してベース固定部９１を係止し、中間部はベースハウジング２の開口部２３に挿入した状態でセカンドハウジング３の裏面３３に穿設する第２固定プレート溝部３４に挿入行程可能な形状に設けるセカンド固定部９２を形成する。また、固定プレート９のベース固定部９１およびセカンド固定部９２には、ベースハウジング２およびセカンドハウジング３と係止可能な爪部９３を設け、ベースハウジング２およびセカンドハウジング３に爪部９３と対応するように設ける係止凹部（図示せず）に爪部９３が係止することでそれぞれと係止固定可能である。従って固定プレート９は、ベースハウジング２の開口部２３に挿入されたセカンドハウジング３を開口部２３内に位置させてベースハウジング２とセカンドハウジング３とを連結固定させる。
そして、プレート４によってベースハウジング２とセカンドハウジング３とが連結されて開口部２３に設置された状態では、ベースハウジング２は爪部９３との係止がしっかりとなされ、ベースハウジング２に対して爪部９３が移動しない状態に固定される。
【００３６】
一方セカンドハウジング３と固定プレート９との間では遊嵌状態に固定される。即ち、セカンドハウジング３は、図５に表すように、ベースハウジング２との間に、僅かなクリアランスＹを持って設置固定されている。従って、セカンドハウジング３は、ベースハウジング２の上面２４の面方向に、即ち、プリント配線基板Ｂの実装面の面方向にクリアランスＹの分だけ移動可能な状態となっている。
この時、プレート４とセカンドハウジング３とは、図６および図９に表すように、セカンドハウジング３が開口部２３の中央であり、且つ、セカンドハウジング３の上面３１とベースハウジング２の上面２１とが一直線上に位置している状態で、プレート４に設ける爪部９３がセカンドハウジング３に設ける係止凹部３５との間でクリアランスＹを持って遊嵌状態で係止される。従って、セカンドハウジング３は、実質的に開口部２３内で固定プレート９以外にはベースハウジング２との間に位置を阻害されるものが存在しない状態となっている。
【００３７】
そのため、ベースハウジング２がプリント配線基板Ｂに実装後、反り等によって僅かに変形を来しても、セカンドハウジング３はクリアランスＹの範囲でベースハウジング２とは関わりなくプリント配線基板Ｂ上での位置をキープできる。
【産業上の利用可能性】
【００３８】
この発明は、複数のメモリーカードをプリント配線基板等の実装体と電気的に接続させるメモリーカード用コネクタに用いることが出来る。
【図面の簡単な説明】
【００３９】
【図１】この発明の実施例の使用状態を表す斜視説明図
【図２】この発明の実施例を表す斜視説明図
【図３】この発明の部品を表す斜視説明図
【図４】この発明の部品を表す斜視説明図
【図５】この発明の実施例を表す裏面説明図
【図６】図１のＸ−Ｘ線断面であり遊嵌状態を表す一部断面斜視説明図
【図７】部品を表す斜視説明図であり、（ａ）は第１コンタクトを表す斜視説明図、（ｂ）は第２コンタクトを表す斜視説明図、（ｃ）は固定プレートを表す斜視説明図
【図８】この発明の部品を表す説明図であり（ａ）はベース固定部を表す斜視説明図、（ｂ）はセカンド固定部を表す斜視説明図
【図９】図６の一部拡大断面説明図
【図１０】従来例を表す斜視説明図
【図１１】従来例を表す斜視分解説明図
【符号の説明】
【００４０】
１  メモリーカード用コネクタ
２  ベースハウジング
２１  上面
２２  第１コンタクト固定部
２３  開口部
２４  裏面
２５  第１固定プレート溝部
３  セカンドハウジング
３１  上面
３２  第２コンタクト固定部
３３  裏面
３４  第２固定プレート溝部
３５  係止凹部
４  プレート
４１  基部プレート
４２  上面プレート
４３  上面
４４  脚部
５  第１空間部
６  第２空間部
７  第１コンタクト
７１  第１固定部
７２  中間部
７３  第１接点部
８  第２コンタクト
８１  第２固定部
８２  第２中間部
８３  第２接触部
９  固定プレート
９１  ベース固定部
９２  セカンド固定部
【図１】
0005083690.tif 000002
【図２】
0005083690.tif 000003
【図３】
0005083690.tif 000004
【図４】
0005083690.tif 000005
【図５】
0005083690.tif 000006
【図６】
0005083690.tif 000007
【図７】
0005083690.tif 000008
【図８】
0005083690.tif 000009
【図９】
0005083690.tif 000010
【図１０】
0005083690.tif 000011
【図１１】
0005083690.tif 000012